(57)【要約】【課題】来館者の要望に柔軟に対応できる展示案内システムを提供する。【解決手段】展示品データベース１２には、各展示品について、展示位置情報、カテゴリ情報、および鑑賞時間情報が格納されている。ユーザＩ／Ｆ部２１は、来館者が希望する鑑賞終了時刻を表す終了時刻情報、および来館者の興味を表す興味情報を取得する。制御部２５は、終了時刻情報および興味情報を利用して１または複数の展示品を選択し、選択した展示品に来館者を案内するための案内プランを作成する。展示案内装置２０は、案内プランに従って来館者を案内する。【選択図】図１
2010049374.tif 000002
【特許請求の範囲】
【請求項１】
各展示品について、展示位置を表す展示位置情報、属するカテゴリを表すカテゴリ情報、および来館者が鑑賞するために割り当てられている時間を表す滞在時間情報を保持する展示品データベースと、
来館者が希望する鑑賞終了時刻を表す終了時刻情報、および前記来館者の興味を表す興味情報を取得する取得手段と、
前記終了時刻情報および興味情報を利用して前記展示品データベースにアクセスすることにより、１または複数の展示品を選択し、選択した展示品を案内する順序および選択した各展示品を鑑賞するための滞在時間を指示する案内プランを作成する案内プラン作成手段と、
前記案内プランに従って前記来館者を案内する案内手段、
を備える展示案内システム。
【請求項２】
請求項１に記載の展示案内システムであって、
前記案内プラン作成手段は、前記終了時刻情報が表す鑑賞終了時刻までの残存時間に応じて前記案内プランを更新し、
前記案内手段は、更新された案内プランに従って前記来館者を案内する
ことを特徴とする展示案内システム。
【請求項３】
請求項１に記載の展示案内システムにおいて使用される展示案内装置であって、
前記展示案内装置の位置を検出する位置検出手段と、
前記位置検出手段により検出される位置および前記案内プランに従って前記展示案内装置を移動させる移動手段、
を備える展示案内装置。
【発明の詳細な説明】
【技術分野】
【０００１】
本発明は、展示案内システムに係わり、例えば、美術館、博物館等において展示品を紹介するサービスに適用可能である。
【背景技術】
【０００２】
従来より、美術館、博物館等において展示品を紹介するシステムが提案されている。例えば、特許文献１に記載の展示会案内システムにおいては、展示会に来場する希望者は、自分の個人端末を用いて、来場者データベースに自身の興味分野等の情報を、ネットワークを会して登録する。来場者データベースは、個人データを受け取ると、来場者を識別するための個人識別ＩＤを生成して個人端末へ送出する。実際に会場へ入場する際に個人識別ＩＤを会場端末から入力すると、来場者データベースから事前登録された情報が検索され、来場者が望む情報を得られる展示コーナーの案内や適切な説明者の情報、また見学順路情報などが会場端末に表示される。
【特許文献１】特開２００１−２７３３２４号公報
【発明の開示】
【発明が解決しようとする課題】
【０００３】
従来技術においても、来館者が興味を持っている展示品を選択的に案内することは可能であった。しかし、従来技術においては、来館者が想定する滞在時間を考慮した案内はできなかった。また、来館者の持っている様々な要望に対して木目細かく対応することもできなかった。すなわち、来館者の要望に対して柔軟に対応することが難しかった。
【０００４】
本発明の課題は、来館者の要望に柔軟に対応できる展示案内システムを提供することである。
【課題を解決するための手段】
【０００５】
実施形態の展示案内システムは、各展示品について、展示位置を表す展示位置情報、属するカテゴリを表すカテゴリ情報、および来館者が鑑賞するために割り当てられている時間を表す滞在時間情報を保持する展示品データベースと、来館者が希望する鑑賞終了時刻を表す終了時刻情報、および前記来館者の興味を表す興味情報を取得する取得手段と、前記終了時刻情報および興味情報を利用して前記展示品データベースにアクセスすることにより、１または複数の展示品を選択し、選択した展示品を案内する順序および選択した各展示品を鑑賞するための滞在時間を指示する案内プランを作成する案内プラン作成手段と、前記案内プランに従って前記来館者を案内する案内手段、を備える。
【０００６】
この構成によれば、来館者が希望する鑑賞終了時刻までの間に、来館者が興味を持っている展示品が効率よく案内される。
上記構成のシステムにおいて、前記案内プラン作成手段は、前記終了時刻情報が表す鑑賞終了時刻までの残存時間に応じて前記案内プランを更新するようにしてもよい。この場合、前記案内手段は、更新された案内プランに従って前記来館者を案内する。この構成によれば、案内プランに対して実際の行動が遅延した場合に、残存時間に応じて案内プランが更新される。
【発明の効果】
【０００７】
開示の展示案内システムは、来館者の要望に柔軟に対応できる。
【発明を実施するための最良の形態】
【０００８】
図１は、実施形態の展示案内システムの構成を示す図である。実施形態の展示案内システム１は、展示情報管理サーバ１０および展示案内装置２０を備える。展示情報管理サーバ１０および展示案内装置２０は、相互に情報を送受信することができる。この実施例では、展示情報管理サーバ１０および展示案内装置２０は、ＬＡＮ５０を利用して相互に情報を送受信する。ＬＡＮ５０は、アクセスポイント５１を備え、展示案内装置２０は無線リンクを介して最寄のアクセスポイント５１に収容される。なお、展示情報管理サーバ１０とアクセスポイント５１との間は、有線接続であってもよいし、無線接続であってもよい。
【０００９】
展示情報管理サーバ１０は、１または複数のコンピュータにより実現される。複数のコンピュータにより実現される場合には、各コンピュータは相互に接続される。展示情報管理サーバ１０は、演算部１１、展示品データベース１２、基本情報データベース１３、来館者データベース１４を備える。演算部１１は、プロセッサおよびメモリを備え、与えられたプログラムを実行することにより、展示案内装置２０との間で必要な情報を送受信する。また、演算部１１は、展示品データベース１２、基本情報データベース１３、来館者データベース１４へのデータ蓄積および更新を実行する。
【００１０】
展示品データベース１２には、図２に示すように、各展示品について、展示位置情報、カテゴリ情報、推薦レベル情報、滞在時間情報、紹介データが格納されている。展示位置情報は、展示品が展示されている位置座標データである。カテゴリ情報は、各展示品が属するカテゴリを表す。図２に示す例では、展示品の作者、展示品が作成された時代に基づいて各展示品のカテゴリが定義されている。なお、定義されるカテゴリは、特に限定されるものではなく、例えば、展示会の開催者が任意に決めることができる。一例としては、作者の師弟関係、対象の種類（風景画、人物画、静物画．．．）などを定義することができる。なお、各展示品は、複数のカテゴリに属することが可能である。
【００１１】
推薦レベル情報は、各展示品の推薦レベルを表す。推薦レベルは、例えば、展示会の開催者が決める。或いは、推薦レベルは、来館者の支持に応じて決めるようにしてもよい。この場合、たとえば、より多くの来館者が鑑賞した展示品の推薦レベルを高くしてもよいし、来館者の鑑賞時間が長い展示品の推薦レベルを高くするようにしてもよい。
【００１２】
滞在時間情報は、過去に来館した来館者が展示品を鑑賞するためにその展示品の近傍位置に滞在した時間の平均値を表している。なお、各展示品についての各来館者の鑑賞時間は、展示案内装置２０により検出される。そして、滞在時間情報は、その検出結果に従って更新される。紹介データは、各展示品を紹介する音声データおよび／または画像データである。なお、紹介データとして、必要に応じて、複数のバージョン（例えば、簡易紹介／詳細説明）が用意される。また、展示品データベース１２には、紹介データの格納場所のアドレスのみが登録されるようにしてもよい。
【００１３】
なお、展示情報管理サーバ１０は、休憩場所の位置、出入り口の位置なども合わせて管理する。これらの位置情報は、展示品データベース１２内に格納されてもよいし、別のデータベースを用いて管理してもよい。
【００１４】
基本情報データベース１３には、展示案内に係わる基本情報が格納される。この実施例では、来館者の移動する速度の推定値を表す移動速度データが格納されている。移動速度データは、例えば、成人、老人、子供、車椅子に対して定義されている。移動速度データとしては、例えば、「成人：６０ｍ／分」「老人：４０ｍ／分」等が定義されている。
【００１５】
来館者データベース１４には、各来館者の個人情報が蓄積される。個人情報としては、来館者の氏名（または、会員ＩＤなど）と共に、来館者の興味を表す興味情報が格納され
る。興味情報としては、例えば、興味のある展示品、好きな作者、好きな画風などが登録される。これらの情報は、来館者により入力される。なお、これらの情報は、来館時に入力するようにしてもよいし、事前に入力するようにしてもよい。また、興味情報として、来館者の来館履歴を格納してもよい。来館履歴は、例えば、来館者が過去に鑑賞した展示品を表す。
【００１６】
展示案内装置２０は、この実施例では、自ら移動することができるロボットであり、ユーザＩ／Ｆ部２１、通信部２２、位置検出部２３、来館者情報管理部２４、制御部２５、ロボット位置検出部２６、センサ部２７、経路制御部２８、モータ制御部２９、車輪３０を備える。
【００１７】
ユーザＩ／Ｆ部２１は、来館者の入力を受け付けると共に、来館者に対して情報を出力する。ユーザＩ／Ｆ部２１は、例えば、画像情報を提供する表示装置である。この場合、表示装置は、来館者の入力を受け付けるためのタッチパネル機能を備えていることが好ましい。また、ユーザＩ／Ｆ部２１は、表示装置に加えて或いは表示装置の代わりに、音声情報を提供するスピーカを備えるようにしてもよい。さらに、ユーザＩ／Ｆ部２１は、来館者の音声入力を受け付けるための音声認識機能を備えてもよいし、キーボードを備えるようにしてもよい。なお、ユーザＩ／Ｆ部２１は、来館者との対話により来館者から情報を取得する対話機能を備えていることが好ましい。
【００１８】
通信部２２は、無線リンクを介して展示情報管理サーバ１０との間で情報を送信および受信する。なお、通信プロトコルは特に限定されるものではない。位置検出部２３は、展示案内装置２０の位置を検出する。展示案内装置２０の位置は、例えば、室内ＧＰＳ機能により検出される。あるいは、カメラを用いて撮影した画像を解析することにより展示案内装置２０の位置を検出するようにしてもよい。
【００１９】
来館者情報管理部２４は、来館者の個人情報を管理する。来館者の個人情報は、たとえば、ユーザＩ／Ｆ部２１を介して入力される。また、展示情報管理サーバ１０が備えるデータベース１２〜１４から読み出した情報を一時的に保持することができる。来館者情報管理部２４により管理される個人情報は、例えば、来館者の氏名（または、会員ＩＤ）、年齢、来館者が興味を持っている展示内容、以前に来館したときに鑑賞した展示品などである。これらの情報は、ユーザＩ／Ｆ部２１を介して入力されるようにしてもよい。さらに、来館者が来館した時刻、来館者が希望する鑑賞終了時刻、各展示品についての滞在時間、来館者の疲労度、現在位置（座標または展示品名）なども合わせて管理される。
【００２０】
制御部２５は、展示案内装置２０の各機能ユニットを制御すると共に、来館者を案内するための案内プランを作成する。制御部２５は、案内プランを作成するために、経路管理部、展示品選択部、順路生成部、時間計測部、時間管理部を備える。経路管理部は、館内の経路を表す経路情報を管理する。展示品選択部は、来館者が希望する鑑賞終了時刻および来館者の興味を表す興味情報に基づいて、全展示品の中からその来館者を案内すべき１または複数の展示品を選択する。順路生成部は、展示情報管理サーバ１０が備えるデータベース１２〜１４に格納されている情報を利用して、選択された展示品を順番に案内するための順路を決定する。時間計測部は、時刻を計時する。時間管理部は、鑑賞終了時刻までの残存時間を計算する。
【００２１】
ロボット位置検出部２６は、位置検出部２３とは異なる方法で展示案内装置２０の位置を検出する。すなわち、ロボット位置検出部２６は、例えば、館内の床に配置されている多数の識別チップを検知することにより、展示案内装置２０の位置を検出する。或いは、ロボット位置検出部２６は、予め決められた待機位置から車輪３０の累積回転数をカウントし、そのカウント値に基づいて展示案内装置２０の位置を検出するようにしてもよい。
なお、展示案内装置２０は、位置検出部２３またはロボット位置検出部２６のいずれか一方のみを備える構成であってもよい。
【００２２】
センサ部２７は、車輪３０の回転数および車輪３０の角度などを検出する。経路制御部２８は、センサ部２７の出力を参照し、制御部２５によって決定された順路に沿って展示案内装置２０を走行させるように、モータ制御部２９に指示を与える。モータ制御部２９は、経路制御部２８から受け取る指示に従って、走行用モータおよび操舵用モータを駆動する。
【００２３】
図３は、実施形態の展示案内方法を示すフローチャートである。このフローチャートの処理は、来館者が来館して実施形態の展示案内サービスを受ける旨の要求を入力したときに実行される。展示案内サービスを受ける旨の要求は、展示情報管理サーバ１０または展示案内装置２０に入力される。
【００２４】
ステップＳ１では、来館情報を取得する。来館情報は、例えば、ユーザＩ／Ｆ部２１を利用して来館者により入力される。来館情報は、この実施例では、来館者の氏名（または会員ＩＤ）、年齢、興味情報、希望する鑑賞終了時刻等である。興味情報は、上述したように、好きな作者、好きな画風、興味のある展示品などが入力される。来館情報は、来館者情報管理部２４に書き込まれる。
【００２５】
ステップＳ２では、入力された来館情報を展示情報管理サーバ１０に送信し、来館者データベース１４に格納されている情報と照合する。これにより、来館者が過去に来館したことがあるか否かをチェックする。そして、過去に来館したことがある来館者であれば、先の来館時に収集した情報を来館者データベース１４から読み出す。この場合、例えば、この来館者が過去のどのような展示品を鑑賞したのかが確認される。また、来館者の年齢に基づいて、基本データベース１３から移動速度データが読み出される。
【００２６】
ステップＳ３では、来館者を案内すべき案内プランを作成する。案内プランは、この実施例では、以下のようにして作成される。
（１）入力された興味情報を利用して展示品データベース１２のカテゴリ情報をサーチし、来館者が興味を持っていると推定される展示品を選択する。たとえば、興味情報として「作者＝ＡＡＡ」が入力された場合には、展示品００１、００２が選択される。また、興味情報として「作者＝ＡＡＡ」「１９８０年代」が入力された場合は、展示品００１、００２、００４が選択される。そして、選択した展示品に対して優先順位が設定される。例えば、「作者＝ＡＡＡ」「１９８０年代」が入力されて展示品００１、００２、００４が選択された場合は、２つの条件を満たしている展示品００１に対して最も高い優先順位が与えられる。また、展示品の優先順位は、展示品データベース１２に登録されている推薦レベル情報を考慮するようにしてもよい。
【００２７】
（２）現在時刻および鑑賞終了時刻から「総滞在時間」を算出する。
（３）優先順位の高い展示品から順番に、個々の展示品に対して設定されている「滞在時間」を累積的に加算してゆく。「滞在時間」は、展示品データベース１２から読み出される。この処理は、加算結果が「滞在時間」に達したときに終了する。この実施例では、優先順位の高いＮ個の展示品についての「滞在時間」を加算したときに、その累積加算値が「総滞在時間」に達したものとする。
【００２８】
（４）上記（３）で得られたＮ個の展示品を、予め決められている館内の経路に沿って並べ替える。
（５）上記（４）で並べ替えられた展示品間の移動時間をそれぞれ算出する。展示品間の移動時間は、各展示品の位置および来館者の移動速度データに基づいて算出される。各
展示品の位置は、展示品データベース１２に格納されている。また、来館者の移動速度データは、来館者の年齢に基づいて基本データベース１３から読み出される。
【００２９】
（６）上記（３）で得られる「滞在時間の加算結果」に上記（５）で得られる各「移動時間」を加算した結果が「総滞在時間」以内に納まるように、上述したＮ個の展示品の中から優先順位の低い展示品を除外してゆく。
【００３０】
（７）上記（６）により得られるＭ個の展示品を館内の経路に沿って順番に鑑賞する順路を設定する。
このように、ステップＳ３では、鑑賞終了時刻および興味情報に基づいて展示品が選択され、選択した展示品を案内する順路を示す案内プランが作成される。このとき、選択された各展示品に対して割り当てる時間（すなわち、展示品ごとの滞在時間）は、展示品データベース１２に登録されている「滞在時間」が使用される。ただし、この滞在時間はデフォルト値であり、来館者の興味情報等によってその長さを変えるようにしてもよい。例えば、来館者が興味を持っている作者の展示品に対してはデフォルト値よりも長い時間を割り当て、来館者の興味が比較的低い展示品に対してはデフォルト値よりも短い時間を割り当てるようにしてもよい。
【００３１】
ステップＳ４では、案内情報に従って、来館者を最初の展示品に案内する。すなわち、展示案内装置２０は、最初の展示品の展示位置まで移動する。展示品の展示位置は、展示品データベース１２から取得する。また、展示案内装置２０の移動速度は、来館者の年齢に応じて基本情報データベース１３から抽出された値である。
【００３２】
ステップＳ５では、展示品についての説明を行う。展示品を説明するための画像データ及び／又は音声データは、展示品データベース１２から取得する。このとき、デフォルト値よりも長い滞在時間が割り当てられている場合には、より詳細な説明を行ったり、あるいは、例えば「しばらくごゆっくり鑑賞下さい。」等のメッセージを出力してもよい。また、来館者に対して展示品に興味を持ったか否か、および他に希望があるか等の質問をする。この質問に対する来館者の応答は、来館者データベース１４に蓄積されると共に、必要に応じて案内プランを修正するために使用される。
【００３３】
ステップＳ６では、ステップＳ３において選択したすべての展示品について説明が終了しているか否かをチェックする。そして、すべての展示品についての説明が終了していなければ、ステップＳ７に進む。
【００３４】
ステップＳ７〜Ｓ８では、案内プランを変更する必要があるか否かをチェックする。具体的には、まず、来館者が滞在可能な「残り時間」を計算する。この「残り時間」は、現在時刻と鑑賞終了時刻との差分により算出される。また、これから案内しようとする各展示品のために想定している「想定案内時間」を計算する。この「想定案内時間」は、案内しようとする各展示品の「滞在時間」およびそれら展示品間の移動時間に基づいて算出される。そして、「残り時間」と「想定案内時間」とを比較する。このとき、「残り時間」が「想定案内時間」以上であれば、案内プランを修正する必要がないと判断し、ステップＳ４に戻る。一方、「残り時間」が「想定案内時間」よりも短い場合は、案内プランを修正する必要があると判断し、ステップＳ１１へ進む。
【００３５】
このように、実施形態の展示案内方法では、１つの展示品についての説明が終わるごとに、作成した案内プランを変更する必要があるか否かのチェックが行われる。そして、案内プランを修正する必要がなければ、選択されたすべての展示品についての説明が終了するまで、ステップＳ４〜Ｓ８が繰り返し実行される。
【００３６】
ステップＳ１１〜Ｓ１３では、案内プランを修正する。具体的には、例えば、来館者が来館時に入力した興味情報に基づいて、優先順位の低い展示品についての滞在時間（すなわち、説明時間）を短くしたり、或いは優先順位の低い展示品を案内対象から除外する。優先順位の低い展示品を案内対象から除外した場合には、展示品間の移動時間が再計算される。これにより、「想定案内時間」が「残り時間」以下になるように、案内プランが修正される。
【００３７】
ステップＳ１４では、案内プランを変更した旨を来館者に通知し、来館者の応答を受け付ける。このとき、来館者に疲労度を問い合わせるようにしてもよい。このとき、来館者が案内プランの変更に同意すれば、ステップＳ４に進み、修正された案内プランに従って案内を継続する。
【００３８】
一方、来館者が案内プランに同意しない場合は、ステップＳ１５において、その来館者に対して鑑賞を希望する展示品を問い合わせる。また、来館者の疲労度も合わせて確認するようにしてもよい。そして、来館者が鑑賞を希望する展示品を含む案内プランを作成する。このとき、来館者の疲労度が高ければ、休憩所で休憩する時間も含めて案内プランが作成される。そして、新たな案内プランに含まれる各展示品についての滞在時間の合計時間を計算する。なお、案内プランが休憩を含む場合には、所定の休憩時間（例えば、５分）も加算される。
【００３９】
ステップＳ１６では、ステップＳ１５で得られる合計時間に、展示品間の移動時間が加算される。案内プランが休憩を含む場合には、展示品と休憩所との間の移動時間も加算される。これらの計算においては、来館者の移動速度データが参照される。そして、ステップＳ１７において、新たな案内プランに要する時間が「残り時間」よりも短くなるかチェックする。新たな案内プランに要する時間が「残り時間」よりも長ければ、ステップＳ１５に戻って、さらに別の案内プランを作成する。新たな案内プランに要する時間が「残り時間」以下であれば、ステップＳ１４に戻って来館者の承認を求める。
【００４０】
なお、選択したすべての展示品についての説明が終了した場合には（ステップＳ６：Ｙｅｓ）、ステップＳ２１において、来館者を出口に誘導する。すなわち、展示案内装置２０は、出口に移動する。このとき、展示案内装置２０は案内中に収集した情報を展示情報管理サーバ２０に送信し、展示情報管理サーバ２０は受信した情報に従ってデータベース１２〜１４を更新する。例えば、来館者が各展示品を鑑賞した時間を計測した場合には、その計測時間に従って、展示品データベース１２の「滞在時間」が更新される。また、展示情報関しサーバ１０は、各展示品の滞在時間に基づいて来館者の興味を分析し、その来館者の個人情報として来館者データベース１４に格納するようにしてもよい。
【００４１】
このように、実施形態の展示案内方法においては、来館者の滞在予定時間および興味に応じて案内プランを作成し、その案内プランに従って来館者を展示品に案内する。したがって、来館者は、自分の興味に係わる展示品を効率よく鑑賞することができる。
【００４２】
また、案内プランに対して遅延が生じた場合には、来館者が特に鑑賞したいと思っている展示品を優先して案内するように修正された案内プランが提案される。すなわち、案内プランは、実際の進行状況に応じて柔軟に修正される。したがって、来館者は、特に鑑賞したいと思っている展示品を見逃すことなく、滞在予定時間内に効率よく必要は展示品を鑑賞することができる。
【００４３】
なお、展示案内装置２０は、来館者が各展示品に対してどの程度の興味も持ったのかをモニタすることもできる。この場合、展示案内装置２０は、Ｉ／Ｆ部２１を利用して来館者と対話することにより、来館者の興味度をモニタするようにしてもよい。また、Ｉ／Ｆ
部２０は、展示品の説明を停止する指示を受け付ける機能、あるいは展示品の説明の途中で次の展示品を鑑賞したい旨の指示を受け付ける機能を備えているものとする。この場合は、来館者の興味度を間接的にモニタすることができる。
【００４４】
上述の実施例では、図３に示すフローチャートの処理は、基本的には、展示案内装置２０により実行されるが、これに限定されるものではない。すなわち、展示情報管理サーバ１０が一部の処理を実行するようにしてもよい。例えば、展示情報管理サーバ１０が来館者の入力に応じて案内プランを作成し、展示案内装置２０がその案内プランに従って来館者を案内するようにしてもよい。
【００４５】
また、上述の実施例では、展示案内装置２０は、自ら移動するための機能を備えているが、この機能は必須ではない。すなわち、展示案内装置２０は、携帯端末装置などの来館者が持ち運べる機器であってもよい。この場合、展示案内装置２０は、図１に示す基本システムを備えていればよく、付加システムを備える必要はない。また、展示案内装置２０は、例えば、館内の経路を表す地図情報を表示しながら来館者を案内する。
【００４６】
さらに、展示案内装置２０は、展示会の開催者が用意する専用端末であってもよいし、来館者の携帯端末であってもよい。後者の場合、例えば、図３に示すフローチャートの処理を記述したプログラムが来館者の携帯端末にダウンロードされる。
【００４７】
図４は、実施形態の展示案内装置２０に係わるハードウェア構成を示す図である。図４において、ＣＰＵ１０１は、メモリ１０３を利用して展示案内プログラムを実行する。記憶装置１０２は、例えばハードディスクであり、展示案内プログラムを格納する。なお、記憶装置１０２は、外部記録装置であってもよい。メモリ１０３は、例えば半導体メモリであり、ＲＡＭ領域およびＲＯＭ領域を含んで構成される。
【００４８】
読み取り装置１０４は、ＣＰＵ１０１の指示に従って可搬型記録媒体１０５にアクセスする。可搬性記録媒体１０５は、例えば、半導体デバイス（ＰＣカード等）、磁気的作用により情報が入出力される媒体、光学的作用により情報が入出力される媒体を含むものとする。通信インタフェース１０６は、ＣＰＵ１０１の指示に従って、ネットワークを介してデータを送受信する。入出力装置１０７は、この実施例では、表示装置、ユーザからの指示を受け付けるデバイス等に相当する。
【００４９】
実施形態に係わる展示案内プログラムは、例えば、下記の形態で提供される。
（１）記憶装置１０２に予めインストールされている。
（２）可搬型記録媒体１０５により提供される。
（３）展示情報管理サーバ１０または他のプログラムサーバ１１０からダウンロードする。
そして、上記構成のコンピュータで展示案内プログラムを実行することにより、実施形態に係わる展示案内装置が実現される。
【００５０】
上述の各実施例を含む実施形態に関し、さらに以下の付記を開示する。
（付記１）
各展示品について、展示位置を表す展示位置情報、属するカテゴリを表すカテゴリ情報、および来館者が鑑賞するために割り当てられている時間を表す滞在時間情報を保持する展示品データベースと、
来館者が希望する鑑賞終了時刻を表す終了時刻情報、および前記来館者の興味を表す興味情報を取得する取得手段と、
前記終了時刻情報および興味情報を利用して前記展示品データベースにアクセスすることにより、１または複数の展示品を選択し、選択した展示品を案内する順序および選択し
た各展示品を鑑賞するための滞在時間を指示する案内プランを作成する案内プラン作成手段と、
前記案内プランに従って前記来館者を案内する案内手段、
を備える展示案内システム。
（付記２）
付記１に記載の展示案内システムであって、
各展示品についての来館者の滞在時間を検出する検出手段をさらに備え、
前記展示品データベースは、前記検出手段による検出結果に応じて前記滞在時間情報を更新する
ことを特徴とする展示案内システム。
（付記３）
付記１に記載の展示案内システムであって、
前記展示品データベースは、各展示品についてさらに推薦レベルを表す推薦レベル情報を保持し、
前記案内プラン作成手段は、前記推薦レベル情報に応じて前記案内プランを作成する
ことを特徴とする展示案内システム。
（付記４）
付記１に記載の展示案内システムであって、
前記案内プラン作成手段は、前記終了時刻情報が表す鑑賞終了時刻までの残存時間に応じて前記案内プランを更新し、
前記案内手段は、更新された案内プランに従って前記来館者を案内する
ことを特徴とする展示案内システム。
（付記５）
付記１に記載の展示案内システムであって、
来館者と対話する対話手段をさらに備え、
前記案内プラン作成手段は、前記対話手段が取得した来館者の要望に応じて前記案内プランを更新し、
前記案内手段は、更新された案内プランに従って前記来館者を案内する
ことを特徴とする展示案内システム。
（付記６）
付記１に記載の展示案内システムであって、
来館者の移動速度を推定する推定手段をさらに備え、
前記案内プラン作成手段は、前記推定手段により推定された移動速度に応じて前記案内プランを作成する
ことを特徴とする展示案内システム。
（付記７）
付記１に記載の展示案内システムにおいて使用される展示案内装置であって、
前記展示案内装置の位置を検出する位置検出手段と、
前記位置検出手段により検出される位置および前記案内プランに従って前記展示案内装置を移動させる移動手段、
を備える展示案内装置。
（付記８）
付記１に記載の展示案内システムにおいて使用される展示案内装置であって、
前記展示案内装置の位置を検出する位置検出手段と、
前記位置検出手段により検出される位置を利用して前記案内プランに係わる画像データまたは音声データの少なくとも一方を出力する出力手段、
を備える展示案内装置。
（付記９）
来館者が希望する鑑賞終了時刻を表す終了時刻情報、および前記来館者の興味を表す興味情報を取得し、
前記終了時刻情報および興味情報を利用して、各展示品について展示位置を表す展示位置情報、属するカテゴリを表すカテゴリ情報、および来館者が鑑賞するために割り当てられている時間を表す滞在時間情報を保持する展示品データベースにアクセスすることにより、１または複数の展示品を選択し、
選択した展示品を案内する順序および選択した各展示品を鑑賞するための滞在時間を指示する案内プランを作成し、
前記案内プランに従って来館者を案内する
ことを特徴とする展示案内方法。
【図面の簡単な説明】
【００５１】
【図１】実施形態の展示案内システムの構成を示す図である。
【図２】展示品データベースの実施例である。
【図３】実施形態の展示案内方法を示すフローチャートである。
【図４】展示案内装置の要部のハードウェア構成を示す図である。
【符号の説明】
【００５２】
１      展示案内システム
１０      展示情報管理サーバ
１１      演算部
１２      展示品データベース
１３      基本情報データベース
１４      来館者データベース
２０      展示案内装置
２１      ユーザＩ／Ｆ部
２２      通信部
２３      位置検出部
２４      来館者情報管理部
２５      制御部
【図２】
2010049374.tif 000003
【図３】
2010049374.tif 000004
【図４】
2010049374.tif 000005
【図１】
2010049374.tif 000006